(57)【特許請求の範囲】
【請求項１】
多地点協調送受信システムの測定報告方法であって、
端末がサービスセルにより伝達された多地点協調送受信（ＣｏＭＰ）の測定配置メッセージに基づいて、測定イベント報告トリガー基準を満たす時に、前記サービスセルに測定報告を報告することを備え、
前記測定イベント報告トリガー基準は、前記端末の前記サービスセルでの移動速度測定値が予め設定された第１測定しきい値より低く、且つ前記サービスセルの基準信号受信パワー（ＲＳＲＰ）測定値と測定セルのＲＳＲＰ測定値の比率が予め設定された第２測定しきい値より低いことを備え、
前記端末の前記サービスセルでの移動速度測定値は、一定時間内に前記端末の前記サービスセルでの隣接する２つの測定時刻の測定値の差値の累加値である多地点協調送受信システムの測定報告方法。
【請求項２】
前記方法はさらに、
前記サービスセルが無線リソース制御接続再配置メッセージによって前記端末に前記ＣｏＭＰ測定配置メッセージを伝達することを備える請求項１に記載の方法。
【請求項３】
前記方法はさらに、
以下の式によって前記端末の前記サービスセルでの移動速度測定値δRSRPを計算することを備え、
【数１】
0005593444.tif 000015
前記端末の前記サービスセルでの移動速度測定値が予め設定された第１測定しきい値より低いことは、δRSRP<θ1であり、
その中に、ｎ＝１、２、．．．、Ｎは測定時刻であり、ＲＳＲＰ（ｎ）はｎ時刻のＲＳＲＰ値であり、ｄｔは測定間隔であり、θ1は前記予め設定された第１測定しきい値である請求項１に記載の方法。
【請求項４】
前記方法はさらに、
前記端末は測定した前記サービスセルの基準信号受信パワー（ＲＳＲＰ）及び測定セル集合の中の測定セルのＲＳＲＰに基づいて、以下の式によって前記サービスセルの測定値と測定セルの測定値の比率ＳＩＲを計算することを備え、
【数２】
0005593444.tif 000016
前記サービスセルの測定値と測定セルの測定値の比率が予め設定された第２測定しきい値より低いことは、SIR<θ2であり、
その中に、ＲＳＲＰｓはサービスセルのＲＳＲＰ測定値であり、ＲＳＲＰｋは測定セル集合の中の測定セルのＲＳＲＰ測定値であり、θ2は前記予め定義された第２測定しきい値である請求項１に記載の方法。
【請求項５】
前記方法はさらに、前記端末が、測定した前記サービスセルのＲＳＲＰ及び測定セル集合の中の測定セルのＲＳＲＰを、ＲＳＲＰ信号強度の大きさに応じて降順配列を行うこと、
前記端末が、前記サービスセルに測定報告を報告する時に、ＲＳＲＰ信号強度が最も強い１つ又は複数のセルを前記サービスセルに報告することを備える請求項１〜４のいずれか一項に記載の方法。
【請求項６】
前記方法はさらに、
セル負荷及びＣｏＭＰモードのうち少なくとも一方に基づいて前記第１測定しきい値及び前記第２測定しきい値の大きさを動的に配置することを備える請求項１〜４のいずれか一項に記載の方法。
【請求項７】
多地点協調送受信システムの測定報告システムであって、前記測定報告システムはサービスセルにおける多地点協調送受信（ＣｏＭＰ）測定配置装置、及び端末における測定報告装置を備え、
前記ＣｏＭＰ測定配置装置が、端末のためにＣｏＭＰ測定配置メッセージを配置し且つ伝達するように設置され、前記ＣｏＭＰ測定配置メッセージは、前記端末のサービスセルでの移動速度測定値が予め設定された第１測定しきい値より低く、且つサービスセルの基準信号受信パワー（ＲＳＲＰ）測定値と測定セルのＲＳＲＰ測定値の比率が予め設定された第２測定しきい値より低いという測定イベント報告トリガー基準を備え、
前記測定報告装置が、サービスセルにより伝達されたＣｏＭＰ測定配置メッセージに基づいて、前記測定イベント報告トリガー基準を満たす時に、前記サービスセルに測定報告を報告するように設置され、
前記測定報告装置がさらに、一定時間内に前記端末の前記サービスセルでの隣接する２つの測定時刻の測定値の差値の累加値を、前記端末の前記サービスセルでの移動速度測定値として計算するように設置される、多地点協調送受信システムの測定報告システム。
【請求項８】
前記ＣｏＭＰ測定配置装置が、無線リソース制御接続再配置メッセージによって前記端末に前記ＣｏＭＰ測定配置メッセージを伝達するように設置される請求項７に記載の測定報告システム。
【請求項９】
前記測定報告装置がさらに、以下の式によって前記端末の前記サービスセルでの移動速度測定値δRSRPを計算するように設置され、
【数３】
0005593444.tif 000017
その中に、ｎ＝１、２、．．．、Ｎは測定時刻であり、ＲＳＲＰ（ｎ）はｎ時刻のＲＳＲＰ値であり、ｄｔは測定間隔である請求項７に記載の測定報告システム。
【請求項１０】
前記測定報告装置がさらに、測定した前記サービスセルの基準信号受信パワー（ＲＳＲＰ）及び測定セル集合の中の測定セルのＲＳＲＰに基づいて、以下の式によって前記サービスセルの測定値と測定セルの測定値の比率ＳＩＲを計算するように設置され、
【数４】
0005593444.tif 000018
その中に、ＲＳＲＰｓはサービスセルのＲＳＲＰ測定値であり、ＲＳＲＰｋは測定セル集合の中の測定セルのＲＳＲＰ測定値である請求項７に記載の測定報告システム。
【請求項１１】
前記測定報告装置がさらに、測定した前記サービスセルのＲＳＲＰ及び測定セル集合の中の測定セルのＲＳＲＰを、ＲＳＲＰ信号強度の大きさに応じて降順配列を行う、及び前記サービスセルに測定報告を報告する時に、ＲＳＲＰ信号強度が最も強い１つ又は複数のセルを前記サービスセルに報告するように設置される請求項７〜１０のいずれか一項に記載の測定報告システム。
【請求項１２】
前記ＣｏＭＰ測定配置装置がさらに、セル負荷及びＣｏＭＰモードのうち少なくとも一方に基づいて前記第１測定しきい値及び前記第２測定しきい値の大きさを動的に配置するように設置される請求項７〜１０のいずれか一項に記載の測定報告システム。
【発明の詳細な説明】
【技術分野】
【０００１】
本発明は、移動通信技術分野に関し、さらに具体的に、多地点協調送受信（Ｃｏｏｒｄｉｎａｔｅｄ  Ｍｕｌｔｉｐｏｉｎｔ  ｔｒａｎｓｍｉｓｓｉｏｎ／ｒｅｃｅｐｔｉｏｎ、ＣｏＭＰと略称する）システムの測定報告方法及びシステムに関する。
【背景技術】
【０００２】
マルチキャリア伝送モードとして、直交波周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘ、ＯＦＤＭと略称する）技術は高速伝送するデータ流を１組の低速並行伝送するデータ流に転換することによって、システムがマルチパスフェージングチャネル周波数選択性に対する感度を大きく低下させる。サイクリックプレフィックスの導入はさらにシステムのＩＳＩ抵抗（Ｉｎｔｅｒ−ｓｙｍｂｏｌ  Ｉｎｔｅｒｆｅｒｅｎｃｅ、シンボル間干渉）の能力を強化させる。これ以外に、帯域幅の利用率が高く、実現が簡単であるなどの特徴はＯＦＤＭの無線通信分野の応用をますます広くさせ、例えば直交波周波数分割多重アクセスに基づくロングタームエボリューション（Ｌｏｎｇ  Ｔｅｒｍ  Ｅｖｏｌｕｔｉｏｎ、ＬＴＥと略称する）システム、及びＬＴＥ次世代の進化ＬＴＥ−Ａｄｖａｎｃｅｄシステム（第４世代通信システム）などはいずれもＯＦＤＭ技術に基づいたシステムである。
【０００３】
ＬＴＥ−ＡｄｖａｎｃｅｄシステムはＬＴＥシステムに対して、例えばｒｅｌａｙ（中継）、周波数帯域統合及びＣｏＭＰなどの技術を採用してシステムの性能を強化させる。ＣｏＭＰを導入する動機はＯＦＤＭシステムにおけるセル間干渉の問題を解決し、セルエッジＵＥ（Ｕｓｅｒ  Ｅｑｕｉｐｍｅｎｔ、ユーザー機器）のスループットを向上させるためであり、例えば複数のｅＮＢ（進化型基地局）が協調してＩＣＩ（Ｉｎｔｅｒ−Ｃｅｌｌ  Ｉｎｔｅｒｆｅｒｅｎｃｅ、セル間干渉）を削除し、さらに干渉信号を希望信号に変える。さらなる研究につれて、ＬＴＥ−ＡｄｖａｎｃｅｄにＣｏＭＰを応用して、データ伝送速度率、セルエッジスループット、及び／又はシステムスループットを向上させることができるとわかってきた。従って、大多数の会社は非常にＣｏＭＰ技術を認めている。
【０００４】
ＣｏＭＰ技術は伝送方向から、アップリンクＣｏＭＰ技術とダウンリンクＣｏＭＰ技術に分けられる。ダウンリンクＣｏＭＰ（ＤＬＣｏＭＰ）を、連合伝送モード（Ｊｏｉｎｔ  Ｐｒｏｃｅｓｓ、ＪＰと略称する）とＣＳ（Ｃｏｏｒｄｉｎａｔｅｄ  Ｓｃｈｅｄｕｌｉｎｇ、協調スケジューリング）／ＣＢ（Ｃｏｏｒｄｉｎａｔｅｄ  Ｂｅａｍｆｏｒｍｉｎｇ、協調ビーム形成）モードの２種類に分けられる。
【０００５】
ａ）ＣＳ／ＣＢモードは、多地点における１つのノードのみが瞬時にＵＥにデータを送信し、強化型ＩＣＩＣ（Ｉｎｔｅｒ−Ｃｅｌｌ  Ｉｎｔｅｒｆｅｒｅｎｃｅ  Ｃｏｏｒｄｉｎａｔｉｏｎ、セル間干渉制御）に類似して、協調ノードがデータを共有しないが、チャネル関連情報を共有する。ＣＳ／ＣＢモードは、例えば半静的ＩＣＩＣ、協調ＰＭＩ（Ｐｒｅｃｏｄｉｎｇ  Ｍａｔｒｉｘ  Ｉｎｄｉｃａｔｏｒ、プリコーディングマトリクスインジケータ）、協調Ｂｅａｍｆｏｒｍｉｎｇなどである。
【０００６】
協調スケジューリング／Ｂｅａｍｆｏｒｍｉｎｇモードでは、ＵＥに送信したデータはＵＥが所在するサービスセルのｅＮＢによって伝送するが、スケジューリング決定が連合制御され、例えば協調セルにおける干渉の発生を制御するものである。
【０００７】
ｂ）ＪＰ連合伝送モードは、受信信号品質を向上する及び／又は他のＵＥに対する干渉を削除するように、多地点が同時に１つのＵＥにデータを送信する。
【０００８】
ＣｏＭＰ協調に参加した基地局と端末は、主にサービスセル、測定セル集合、協調セル集合を備える。
【０００９】
サービスセルは、端末に制御チャネルを送信するセルである。端末と基地局の通信過程に、一般的には１つのサービスセルのみがある。
【００１０】
測定セル集合は、端末が周期性のチャネル状況情報を測定するセル集合である。該集合は端末サービスセルにより半静的に配置する。
【００１１】
協調セル集合は、直接的又は間接的に端末に業務データを送信することを参加するセル集合である。
【００１２】
現在、ＣｏＭＰ技術に対して、達した合意は主に以下の内容を含む。
【００１３】
一、参加したセルの数量は多すぎるべきでない。
【００１４】
複数のｅＮＢｓの間の協調は、大幅にセルエッジと平均セルスループットを向上させることができる。しかし複数のｅＮＢｓの間にｄａｔａ（データ）／ＣＳＩ（Ｃｈａｎｎｅｌ  Ｓｔａｔｅ  Ｉｎｆｏｒｍａｔｉｏｎ、チャネル状態情報）を共有するのは高いｂａｃｋｈａｕｌ（バックホール）容量が必要であり、このため、実施したら非常に複雑である。複雑度を低下させるために、有限数量のｅＮＢｓを協調して特定ＵＥにサービスすることが考えられるべきである。従って、ＣｏＭＰと関連する議題の時に協調セルクラスター（ｃｌｕｓｔｅｒ）をどのように選択して、受けられるスケジューリング複雑度とｂａｃｋｈａｕｌ容量における最大化セルスループットを達する。
【００１５】
二、セルエッジＵＥのみに対してＣｏＭＰを採用する。
【００１６】
ＣｏＭＰは理論にセルエッジＵＥとセル中心ＵＥに用いられるが、非ＣｏＭＰの時にセル中心ＵＥのＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ、信号対干渉雑音電力比）自身が高く、ＣｏＭＰを採用した後スループットの向上が小さく、且つ情報交互を浪費する。ＣｏＭＰはセルエッジユーザーに用いれば明らかにセル間干渉を低下させ、セルエッジユーザーの受信パワーを向上させることができる。従って、複数の会社はいずれもセルエッジＵＥのみに対してＣｏＭＰを採用すべきであると考える。従来の方法はＳＩＮＲ分布の原則に基づいて協調のＵＥを選択することを含み、例えばＳＩＮＲ＜５ｄＢ（デシベル）のＵＥのみに対して協調する。
【００１７】
三、低速ＵＥに適用する。
【００１８】
多セルのチャネル推定は低速ユーザーに基づいて最適化でき、低速ユーザーのフィードバックはコストが低く、且つ大きい遅延を許可できる。
【００１９】
現在、従来のＣｏＭＰ技術にＣｏＭＰ切替しきい値の具体操作方法を考えない。このため、従来の技術は主に以下の問題を有する。
【００２０】
１）ＣｏＭＰユーザーの多数はセルエッジに位置するから、分析に基づいて、切替位置にあるユーザーが約５％で、Ｃｏｍｐにあるユーザーが約３０％であり、すべてのユーザーが頻繁に測定結果を報告すると、シグナリングのコストが大きくなりすぎる。
【００２１】
２）簡単なＲＳＲＰ（Ｒｅｆｅｒｅｎｃｅ  Ｓｉｇｎａｌ  Ｒｅｃｅｉｖｅｄ  Ｐｏｗｅｒ、基準信号受信パワー）しきい値切替アルゴリズム、例えば、Ａｂｓ（ＲＳＲＰｃｅｌｌ−ＲＳＲＰｓｏｕｒｃｅ）ｄＢ＜ＲＳＲＰｔｈｒｅｓｈｏｌｄｉｎ、Ａｂｓ（ＲＳＲＰｃｅｌｌ−ＲＳＲＰｓｏｕｒｃｅ）ｄＢ＞ＲＳＲＰｔｈｒｅｓｈｏｌｄｏｕｔを採用すると、しきい値の定義が制限されるから、頻繁な入力、出力操作を誘発しやすい。
【発明の概要】
【発明が解決しようとする課題】
【００２２】
本発明は多地点協調送受信システムの測定報告方法及びシステムを提供し、中心ユーザーがＣｏＭＰモードに切り替えるしきい値及びイベント報告トリガー基準に対して、最適の解決方案を提出することである。
【課題を解決するための手段】
【００２３】
上記技術問題を解決するために、本発明は多地点協調送受信システムの測定報告方法を提供し、端末がサービスセルにより伝達された多地点協調送受信（ＣｏＭＰ）の測定配置メッセージに基づいて、測定イベント報告トリガー基準を満たす時に、前記サービスセルに測定報告を報告することを備え、前記測定イベント報告トリガー基準は、前記サービスセルの移動速度測定値が予め設定された第１測定しきい値より低く、且つ前記サービスセルのＲＳＲＰ測定値と測定セルのＲＳＲＰ測定値の比率が予め設定された第２測定しきい値より低いことを備え、前記端末の前記サービスセルでの移動速度測定値は、一定時間内に前記端末の前記サービスセルでの隣接する２つの測定時刻の測定値の差値の累加値である。
【００２４】
選択可能に、前記方法はさらに、前記サービスセルが無線リソース制御接続再配置メッセージによって前記端末に前記ＣｏＭＰ測定配置メッセージを伝達することを備える。
【００２６】
選択可能に、前記方法はさらに、以下の式によって前記端末の前記サービスセルでの移動速度測定値δRSRPを計算することを備え、
【数１】
0005593444.tif 000002
前記端末の前記サービスセルでの移動速度測定値が予め設定された第１測定しきい値より低いことは、δRSRP<θ1であり、
その中に、ｎ＝１、２、．．．、Ｎは測定時刻であり、ＲＳＲＰ（ｎ）はｎ時刻のＲＳＲＰ値であり、ｄｔは測定間隔であり、θ1は前記予め設定された第１測定しきい値である。
【００２７】
【数２】
0005593444.tif 000003
【００２８】
選択可能に、前記方法はさらに、前記端末が、測定した前記サービスセルのＲＳＲＰ及び測定セル集合の中の測定セルのＲＳＲＰを、ＲＳＲＰ信号強度の大きさに応じて降順配列すること、
前記端末が、前記サービスセルに測定報告を報告する時に、ＲＳＲＰ信号強度が最も強い１つ又は複数のセルを前記サービスセルに報告することを備える。
【００２９】
選択可能に、前記方法はさらに、
セル負荷及びＣｏＭＰモードのうち少なくとも一方に基づいて前記第１測定しきい値及び前記第２測定しきい値の大きさを動的に配置することを備える。
【００３０】
本発明はさらに多地点協調送受信システムの測定報告システムを提供し、前記測定報告システムはサービスセルにおける多地点協調送受信（ＣｏＭＰ）測定配置装置、及び端末における測定報告装置を備え、
ここで、
前記ＣｏＭＰ測定配置装置が、端末のためにＣｏＭＰ測定配置メッセージを配置し且つ伝達するように設置され、前記ＣｏＭＰ測定配置メッセージは、前記端末のサービスセルでの移動速度測定値が予め設定された第１測定しきい値より低く、且つサービスセルの基準信号受信パワー（ＲＳＲＰ）測定値と測定セルのＲＳＲＰ測定値の比率が予め設定された第２測定しきい値より低いという測定イベント報告トリガー基準を備え、
前記測定報告装置が、サービスセルにより伝達されたＣｏＭＰ測定配置メッセージに基づいて、前記測定イベント報告トリガー基準を満たす時に、前記サービスセルに測定報告を報告するように設置され、
前記測定報告装置がさらに、一定時間内に前記端末の前記サービスセルでの隣接する２つの測定時刻の測定値の差値の累加値を、前記端末の前記サービスセルでの移動速度測定値として計算するように設置される。
【００３１】
選択可能に、前記ＣｏＭＰ測定配置装置が、無線リソース制御接続再配置メッセージによって前記端末に前記ＣｏＭＰ測定配置メッセージを伝達するように設置される。
【００３２】
選択可能に、前記測定報告装置は、さらに、以下の式によって前記端末の前記サービスセルでの移動速度測定値δRSRPを計算するように設置され、
【数３】
0005593444.tif 000004
ここで、ｎ＝１、２、．．．、Ｎは測定時刻であり、ＲＳＲＰ（ｎ）はｎ時刻のＲＳＲＰ値であり、ｄｔは測定間隔である。
【００３３】
【数４】
0005593444.tif 000005
【００３４】
選択可能に、前記測定報告装置は、さらに、測定した前記サービスセルのＲＳＲＰ及び測定セル集合の中の測定セルのＲＳＲＰを、ＲＳＲＰ信号強度の大きさに応じて降順配列を行い、前記サービスセルに測定報告を報告する時に、ＲＳＲＰ信号強度が最も強い１つ又は複数のセルを前記サービスセルに報告するように設置される。
【００３５】
選択可能に、前記ＣｏＭＰ測定配置装置は、さらに、セル負荷及びＣｏＭＰモードのうち少なくとも一方に基づいて前記第１測定しきい値及び前記第２測定しきい値の大きさを動的に配置するように設置される
【発明の効果】
【００３６】
従来の技術に比べて、本発明は少なくとも以下の有益な効果を有し、本発明は中心ユーザーをＣｏＭＰモードに切り替えるしきい値及びイベント報告トリガー基準に対して、１つの新しいイベント報告トリガー基準を定義することにより、頻繁に測定結果を報告すること、及び頻繁な入力(in-set)、出力(out-set)操作を避け、これ以外、本発明は移動速度測定値によってＵＥのセルエッジでの移動状況を知り、ＵＥがセルエッジに十分な滞在時間を有することを確保し、急速にセルエッジを通り越したユーザーに対してＣｏＭＰ処理を行わせず、従って、この部分のユーザーが測定結果を報告する必要がなく、それによりシグナリングのコストを減少させる。
【図面の簡単な説明】
【００３７】
【図１】図１はユーザーのサービスセル、隣接セル及び測定セル集合の関係模式図である。
【図２】図２は本発明実施例のＣｏＭＰシステム協調セル測定報告操作の流れ模式図である。
【図３】図３は２つの協調セル状況のＵＥ１位置を示す。
【図４】図４は３つの協調セル状況のＵＥ１位置を示す。
【発明を実施するための形態】
【００３８】
従来の技術に存在する問題を解決するために、本発明は多地点協調送受信システムの測定報告方法を提供し、具体的に以下の技術案を採用する。ＵＥが、サービスセルにより伝達されたＣｏＭＰ測定配置メッセージに基づいて、測定イベント報告トリガー基準を満たす時に、前記サービスセルに測定報告を報告する。前記測定イベント報告トリガー基準は、サービスセルの移動速度測定値が予め設定された第１測定しきい値より低く、且つサービスセルと測定セルのＲＳＲＰ測定値の比率が予め設定された第２測定しきい値より低く設定される。
【００３９】
選択可能に、前記サービスセルはＲＲＣ接続再配置メッセージによってＵＥに前記ＣｏＭＰ測定配置メッセージを伝達する。
【００４０】
選択可能に、前記ＣｏＭＰ測定配置メッセージは前記ＲＲＣ接続再配置メッセージにおけるＭｅａｓｕｒｅｍｅｎｔＣｏｎｆｉｇｕｒａｔｉｏｎＩＥ（測定配置情報要素）を拡大することによって実現する。
【００４１】
選択可能に、前記サービスセルの移動速度測定値は、前記サービスセルが予定の持続時間内に隣接する２つの測定時刻の測定値の差値の累加値であってもよい。
【００４２】
【数５】
0005593444.tif 000006
【００４３】
選択可能に、前記サービスセルの測定値と測定セルの測定値の比率は、前記サービスセルのＲＳＲＰと測定セル集合の中のすべての測定セルのＲＳＲＰの和の比率である。
【００４４】
【数６】
0005593444.tif 000007
【００４５】
選択可能に、前記方法はさらに、
測定したサービスセルのＲＳＲＰ（ＲＳＲＰｓ）及び測定セル集合の中の測定セルのＲＳＲＰに対してＲＳＲＰ信号強度の大きさに応じて降順配列を行うこと、  ＵＥが前記サービスセルに測定報告を報告する時に、ＲＳＲＰ信号強度が最も強い１つ又は複数のセルを前記サービスセルに報告することを備える。
【００４６】
選択可能に、前記しきい値θ2、θ1が基地局により配置され、且つシステム放送メッセージにより放送され、しきい値θ2、θ1の配置が静的に配置されてもよく、又はセル負荷、協調モード例えばＪＰ（連合伝送モード）又はＣＢ（協調ビーム形成）など他の要素に基づいて動的に配置されてもよい。
【００４７】
具体的に、本発明が提供したＣｏＭＰユーザー測定報告の操作過程は主に以下のステップを備える。
第１ステップ、ＵＥのサービスセルは本セルの測定セル集合を放送し、測定セル集合がシステム放送メッセージによって携帯してもよく、セルに周期的に又はある予め定義された方式でＵＥに通知する。
【００４８】
第２ステップ、端末のサービスセルはＲＲＣ  Ｃｏｎｎｅｃｔｉｏｎ  Ｒｅｃｏｎｆｉｇｕｒａｔｉｏｎ（ＲＲＣ接続再配置）メッセージを送信し、ＣｏＭＰ測定配置メッセージをＲＲＣＣｏｎｎｅｃｔｉｏｎ  ＲｅｃｏｎｆｉｇｕｒａｔｉｏｎメッセージによってＵＥに送信する。
【００４９】
第３ステップ、ＵＥは持続に測定セル集合の中のセルを検出し、いったん測定セル集合の中の１つ又は複数のセルがイベントトリガー基準を満たすと、ＵＥはサービスセルに測定報告を報告し、セル中心ユーザーをＣｏＭＰモードに切り替えるのはイベント駆動の測定報告基準を採用し、即ち測定イベント報告トリガー基準を満たす時に、端末がサービスセルに測定イベントを報告し、具体的に、測定イベント報告のトリガー基準は以下のように示す。
【００５０】
【数７】
0005593444.tif 000008
【００５１】
第４ステップ、ＵＥのサービスセルはＵＥにより報告された測定報告（Ｍｅａｓｕｒｅｍｅｎｔ  Ｒｅｐｏｒｔ）を受信し、予め設定された協調セル基準に基づいて、最終的な参加協調セルを確定する。サービスセルは実際応用の異なる要求に基づいて、予め協調セル基準を設定することができる。
【００５２】
第５ステップ、ＵＥのサービスセルはＵＥ及びＵＥの協調セルに協調情報を送信し、サービスセル、協調セルが後続の協調過程を始める。
【００５３】
本発明の説明を便利にするために、次に、図面及び具体的な実施例を参照しながら本発明の技術案の実施をさらに詳細に説明する。
【００５４】
図１に示すように、端末ＵＥ１はセル１に位置し、セル２〜５はセル１に隣接する隣接セルであり、仮にセル１をＵＥ１のサービスセルとして、セル２〜４をＵＥ１の測定セル集合とする。セル５はセル１の測定セル集合ではない。
【００５５】
図２に示したのは本発明の実施例に基づく測定報告方法の流れを示すシーケンス図である。本実施例はＬＴＥシステムを例として、図２に参照され、該流れは具体的に以下のように説明する。
【００５６】
ステップ１、ＵＥ１はＳＩＢ（Ｓｙｓｔｅｍ  Ｉｎｆｏｒｍａｔｉｏｎ  Ｂｌｏｃｋ、システム情報ブロック）メッセージを読み取ることによって、サービスセルの相隣の測定セル集合（即ちセル２〜４）メッセージを取得する。ＬＴＥにおいて、システムメッセージがＢＣＨ（放送チャネル）のＳＩＢメッセージに含まれる。仮にセル１はセル２〜４をその測定セル集合に確定すると、セル１がＳＩＢメッセージを拡大することによって、即ちＬＴＥのＳＩＢメッセージ中に、測定セル集合を新たに定義し、且つ本セルに放送する。
【００５７】
ステップ２、サービスセル１のＲＲＣ（Ｒａｄｉｏ  Ｒｅｓｏｕｒｃｅ  Ｃｏｎｔｒｏｌｏｒ、無線リソースコントローラー）は配置メッセージによってＵＥ１のＣｏＭＰ測定を配置する。ＵＥ１がセル２〜４のＣｏＭＰ測定を配置するのはＲＲＣ  Ｃｏｎｎｅｃｔｉｏｎ  Ｒｅｃｏｎｆｉｇｕｒａｔｉｏｎの中のＭｅａｓｕｒｅｍｅｎｔ  Ｃｏｎｆｉｇｕｒａｔｉｏｎ  ＩＥを拡大することによって実現し、即ちＣｏＭＰの測定配置メッセージはＭｅａｓｕｒｅｍｅｎｔ  Ｃｏｎｆｉｇｕｒａｔｉｏｎ  ＩＥにより拡大してなる。
【００５８】
具体的に、Ｍｅａｓｕｒｅｍｅｎｔ  Ｃｏｎｆｉｇｕｒａｔｉｏｎにおいて、Ｍｅａｓｕｒｅｍｅｎｔ  ＩＤで各測定対象と報告組合を識別し、各測定はＭｅａｓｕｒｅｍｅｎｔ  Ｏｂｊｅｃｔ（測定対象）とＲｅｐｏｒｔ  Ｃｏｎｆｉｇｕｒａｔｉｏｎ（測定配置）との２つの部分を備え、Ｍｅａｓｕｒｅｍｅｎｔ  ＯｂｊｅｃｔはＵＥの測定に必要な目標を定義し、Ｒｅｐｏｒｔ  Ｃｏｎｆｉｇｕｒａｔｉｏｎは測定報告のトリガーとなるイベント及びしきい値を定義し、さらに、周期報告、イベント報告及びイベント周期報告という報告の方式を定義する。
【００５９】
従来の測定報告のトリガーとなるイベントは主に以下の通りである。  
【００６０】
Ａ１：  サービスセルの測定値は予め設定された測定しきい値より高い。  
【００６１】
Ａ２：  サービスセルの測定値は予め設定された測定しきい値より低い。  
【００６２】
Ａ３：隣接のＥＵＴＲＡ（Ｅｖｏｌｖｅｄ−ＵＭＴＳ  Ｔｅｒｒｅｓｔｒｉａｌ  Ｒａｄｉｏ  Ａｃｃｅｓｓ、進化型ＵＭＴＳ地上波無線アクセス）セルの測定値は目標セル＋予め設定された偏移量より優れる。  
【００６３】
Ａ４：隣接のＥＵＴＲＡセルの測定値は予め設定された測定しきい値より高い。  
【００６４】
Ａ５：サービスセルの測定値は予め設定された測定しきい値より低く且つ隣接セルの測定値は別の予め設定された測定しきい値より高い。  
【００６５】
Ｂ１：ＩｎｔｅｒＲＡＴ（ＲＡＴ間）の隣接セル測定値は予め設定された測定しきい値より高い。  
【００６６】
Ｂ２：目標セルは予め設定された測定しきい値より低く且つＩｎｔｅｒＲＡＴの隣接セル測定値は別の予め設定された測定しきい値より高い。  
【００６７】
本実施例において、ＣｏＭＰ測定は測定イベント報告トリガー基準を配置し、測定報告のトリガーとなるイベントは新たに定義したＡ６であり、即ち、
Ａ６：サービスセルの測定値と測定セルの測定値の和の比率は予め設定された測定しきい値より低く、且つサービスセルが一定時間内に連続の２つの測定時刻の測定値の差値の和は予め設定された測定しきい値より低い。
【００６８】
ステップ３、ＵＥ１はセル１〜４のＲＳＲＰを測定する。
【００６９】
ステップ４、ＵＥ１はサービスセル１の中のイベントトリガーしきい値θ2、θ1を読み取る。
【００７０】
ステップ５、ＵＥ１はイベント報告トリガー基準を満たす測定を報告する。
【００７１】
ステップ６、サービスセル１はＵＥ１により報告された測定報告に基づいてＵＥ１の協調モードを確定し、即ちＵＥ１に対してＣｏＭＰ協調を行うかどうかを確定する。
【００７２】
ステップ７、サービスセル１のＲＲＣは配置メッセージなどの方式でＵＥ１に協調セル、協調モードなどを通知する。
【００７３】
この後、サービスセル、協調セルは後続の協調過程を行う。
【００７４】
これ以外、本発明実施例において、しきい値θ2、θ1の配置はサービスセル動的配置の方法を採用でき、例えばセル負荷及びＣｏＭＰの処理モードに基づいてしきい値θ2、θ1の大きさを調整できる。典型的な配置は以下表１の通りに示す。
【００７５】
【表１】
0005593444.tif 000009
【００７６】
【数８】
0005593444.tif 000010
【００７７】
次に、図面及び具体な応用例を参照しながら本発明の測定報告方法をさらに詳細に紹介する。
【００７８】
応用例１、
【００７９】
【数９】
0005593444.tif 000011
【００８０】
ＵＥ１は報告した測定報告に、サービスセル及び信号強度順番に最も強いセルを報告できる。この時、セル２を協調セルとすることができ、ＵＥ１の位置は図３のように示す。
【００８１】
応用例２、
【００８２】
【数１０】
0005593444.tif 000012
【００８３】
あるいは、信号強度が最も強い２つの測定セルの信号強度の差値ＲＳＲＰ２−ＲＳＲＰ３がある値より小さいなら、ＵＥ１は同時にセル２とセル３を報告してもよい。この時、セル２とセル３を同時に協調セルとすることができ、ＵＥ１の位置は図４のように示す。
【００８４】
以上の説明から、しきい値θ1が実際にＵＥ１のセルエッジでの移動状況を反映し、しきい値θ1より小さいことはＵＥ１がセルエッジに十分な滞在時間を有することを確保し、急速にセルエッジを通り越したユーザーに対してＣｏＭＰ処理を行わないことが見られ、従って、この部分のユーザーが測定結果を報告する必要がなく、それによりシグナリングのコストを減少させる。
【００８５】
これ以外に、本発明の実施例はさらに多地点協調送受信システムの測定報告システム（図未せず）を提供し、該システムは主にサービスセルにおけるＣｏＭＰ測定配置装置、及び端末における測定報告装置を備え、前記ＣｏＭＰ測定配置装置が、端末のためにＣｏＭＰ測定配置メッセージを配置し且つ伝達するように設置され、前記ＣｏＭＰ測定配置メッセージは、サービスセルの移動速度測定値が予め設定された第１測定しきい値より低く、且つサービスセルのＲＳＲＰ測定値と測定セルのＲＳＲＰ測定値の比率が予め設定された第２測定しきい値より低いという測定イベント報告トリガー基準を備え、前記測定報告装置が、サービスセルにより伝達されたＣｏＭＰ測定配置メッセージに基づいて、前記測定イベント報告トリガー基準を満たす時に、前記サービスセルに測定報告を報告するように設置される。
【００８６】
選択可能に、前記ＣｏＭＰ測定配置装置が、無線リソース制御接続再配置メッセージによって前記端末に前記ＣｏＭＰ測定配置メッセージを伝達するように設置される。
【００８７】
選択可能に、前記測定報告装置は、さらに、前記サービスセルが一定時間内に隣接する２つの測定時刻の測定値の差値の累加値に基づいて、以下の式によって前記サービスセルの移動速度測定値δRSRPを計算するように設置される。
【００８８】
【数１１】
0005593444.tif 000013
【００８９】
選択可能に、前記測定報告装置は、さらに、測定した前記サービスセルのＲＳＲＰ及び測定セル集合の中の測定セルのＲＳＲＰに基づいて、以下の式によって前記サービスセルの測定値と測定セルの測定値の比率ＳＩＲを計算するように設置される。
【００９０】
【数１２】
0005593444.tif 000014
【００９１】
選択可能に、前記測定報告装置は、さらに、測定した前記サービスセルのＲＳＲＰ及び測定セル集合の中の測定セルのＲＳＲＰを、ＲＳＲＰ信号強度の大きさに応じて降順配列を行い、前記サービスセルに測定報告を報告する時に、ＲＳＲＰ信号強度が最も強い１つ又は複数のセルを前記サービスセルに報告するように設置される。
【００９２】
選択可能に、前記ＣｏＭＰ測定配置装置は、さらに、セル負荷及び／又はＣｏＭＰモードに基づいて前記第１測定しきい値及び前記第２測定しきい値の大きさを動的に配置することに用いられる。
【００９３】
以上は本発明の好ましい実施案例のみであり、本発明を制限することに用いず、本発明はさらに他の多種の実施例を有してもよく、本発明の精神及びその実質を離れない場合に、本分野を熟知する技術者は本発明に基づいて各種の相応な改変と変形をすることができ、そしてこれらの相応な改変と変形はいずれも本発明の添付の請求項の保護範囲に属すべきである。
【００９４】
本分野の当業者にとっては自明のことではあるが、上記本発明の各機能モジュール又は各ステップを汎用の計算装置により実現し、これらを単一の計算装置に集中してもよく、又は複数の計算装置からなるネットワークに分布してもよく、選択可能に、これらは計算装置が実行できるプログラムコードで実現してもよく、それにより、これらを記憶装置中に記憶して計算装置によって実行でき、且つある場合に、ここでの順番と異なる順番によって示した又は説明したステップを実行でき、或いはこれらをそれぞれ集積回路機能モジュールとして製作し、或いはこれらの複数の機能モジュール又はステップを単一集積回路機能モジュールとして製作して実現してもよい。このようにして、本発明はいずれかの特定のハードウェアとソフトウェアの結合に制限されるものではない。
【産業上の利用可能性】
【００９５】
従来の技術に比べて、本発明は少なくとも以下の有益な効果を有し、本発明は中心ユーザーをＣｏＭＰモードに切り替えるしきい値及びイベント報告トリガー基準に対して、１つの新しいイベント報告トリガー基準を定義することにより、頻繁に測定結果を報告すること、及び頻繁な送受信操作を避け、これ以外、本発明は移動速度測定値によってＵＥのセルエッジでの移動状況を知り、ＵＥがセルエッジに十分な滞在時間を有することを確保し、急速にセルエッジを通り越したユーザーに対してＣｏＭＰ処理を行わせず、従って、この部分ユーザーが測定結果を報告する必要がなく、それによりシグナリングのコストを減少させる。
【図１】
0005593444.tif 000019
【図２】
0005593444.tif 000020
【図３】
0005593444.tif 000021
【図４】
0005593444.tif 000022